(57)【要約】【課題】見開き型の媒体支持体を備える電子筆記装置において、操作労力負担を増大させることなくセンサ保持体と被筆記媒体との係合を維持でき、センサの検出精度を確保する。【解決手段】左右方向に見開き可能なカバー５２と、カバー５２の略中央部に設けられ、紙媒体７０の端部に位置する複数の貫通孔７０Ａに挿通され、紙媒体７０をめくり動作可能に支持する複数のリング部材５４とを有し、ペン３の筆先位置情報を取得し、取得された筆先位置情報を用いてストロークデータを生成する電子筆記装置２であって、紙媒体７０に備えられた被検出情報を検出するセンサ３００、及び、貫通孔７４に係合して紙媒体７０の位置決めを行うボス７２、を備えた用紙押さえ６８と、用紙押さえ６８を、左右方向に沿って進退可能となるようにカバー５２に対して支持する用紙押さえ支持機構６０と、を有する。【選択図】図７
2013200847.tif 000002
【特許請求の範囲】
【請求項１】
筆記具を用いた操作者による被筆記媒体への筆記動作を記録する電子筆記装置であって、
第１方向に見開き可能な媒体支持体と、
前記媒体支持体の前記第１方向の略中央部に設けられ、前記被筆記媒体の当該複数の前記第１方向の端部に位置する複数の被支持孔にそれぞれ挿通されることで、前記被筆記媒体を前記第１方向にめくり動作可能に支持する複数の環状部材と、
前記筆記具の筆先位置情報を取得する位置取得手段と、
前記位置取得手段により取得された前記筆記具の筆先位置情報を用いて、前記被筆記媒体への記載に対応したストロークデータを生成するストロークデータ生成手段と、
前記被筆記媒体に備えられた被検出情報を検出するセンサ、及び、前記被筆記媒体に設けられた被係合部に係合して当該被筆記媒体の位置決めを行う係合部、を備えたセンサ保持体と、
前記センサ保持体を、前記第１方向に沿って進退可能となるように前記媒体支持体に対して支持する支持機構と、
を有することを特徴とする電子筆記装置。
【請求項２】
請求項１記載の電子筆記装置において、
前記支持機構は、
前記センサ保持体に対し、前記第１方向に沿って、前記媒体支持体の前記第１方向の略中央部側への付勢力を作用させる付勢部材を備える
ことを特徴とする電子筆記装置。
【請求項３】
請求項２記載の電子筆記装置において、
前記支持機構は、さらに、
前記媒体支持体に前記第１方向に沿って延設された軸部材と、
前記第１方向と直交する第２方向に沿った一方側に前記軸部材に挿通される貫通孔を備えるとともに、前記第２方向に沿った他方側に前記センサ保持体が接続される、接続部材と、
を有し、
前記付勢部材は、
前記挿通孔が前記軸部材に挿通された状態の前記接続部材を前記第１方向に沿って付勢する
ことを特徴とする電子筆記装置。
【請求項４】
請求項３記載の電子筆記装置において、
前記貫通孔を介して前記軸部材に回転可能に配置される前記接続部材が所定の回転方向位置となったとき、前記接続部材を当該回転方向位置にある状態でロックするロック機構を有する
ことを特徴とする電子筆記装置。
【発明の詳細な説明】
【技術分野】
【０００１】
本発明は、操作者による被筆記媒体への筆記動作を記録する電子筆記装置に関する。
【背景技術】
【０００２】
操作者による筆記動作を電子的に記録する電子筆記装置が既に知られている（例えば、特許文献１参照）。この電子筆記装置では、媒体支持体（タブレット）上に載置された被筆記媒体（帳票）に対し操作者が筆記具（入力装置）を用いて所望の筆記動作を行うと、移動する筆記具の筆先の位置が順次検出される。検出された筆先位置情報に基づき、上記被筆記媒体への操作者の記載に対応したストロークデータが生成され、上記操作者の記載内容が電子データ化されて記録される。また、上記電子データ化の際、複数の被筆記媒体のいずれ（何ページ目）に対応するデータであるのかを明らかにするために、上記従来技術では、各被筆記媒体（各ページ）に被検出情報（黒マークからなるページ情報）が設けられている。この被検出情報は、媒体支持体に固定されたセンサ保持体（下部クリップ）に設けられるセンサ（フォトセンサ）によって検出される。
【先行技術文献】
【特許文献】
【０００３】
【特許文献１】特開平１０−２５４６１０号公報（段落００１５，００１６、図８及び図９、等）
【発明の概要】
【発明が解決しようとする課題】
【０００４】
上記従来技術では、媒体支持体上に載置された複数の被筆記媒体の上部が上記センサ保持体により当該媒体支持体に保持され、各被筆記媒体が順次上方にめくられる構成である。これに対し、媒体支持体がいわゆる手帳やノート等のような見開き型に構成される場合がある。このような電子記録装置では、例えば、左右方向に見開き可能に構成された媒体支持体の左右方向中央部に、複数の環状部材が上下方向に配列して設けられる。また複数の被筆記媒体のそれぞれの左端部（又は右端部）にも上下方向に複数の被支持孔が配列して設けられる。そして、これら複数の被支持孔に上記複数の環状部材がそれぞれ挿通されることにより、複数の被筆記媒体はそれぞれ媒体支持体に支持され、かつ各被筆記媒体が左右方向にめくり動作可能となる。
【０００５】
ところで、前述のようにしてセンサによって上記被検出情報を検出する際の検出精度を確保するために、被筆記媒体に被係合部を設けるとともにこれに対応して上記センサ保持体に係合部を設け、これらを互いに係合させた状態で検出が行われる場合がある。このとき、上記のように環状部材を介して被筆記媒体を支持する構造では、その特性上、媒体支持体を閉じた状態においては、媒体支持体の開き状態のときよりも、被筆記媒体が媒体支持体の左端部（又は右端部）側へ押し出された状態となる。
【０００６】
すなわち、媒体支持体を開いた状態における被筆記媒体及び媒体支持体の相対位置関係と、媒体支持体を閉じた状態における被筆記媒体及び媒体支持体の相対位置関係とが、互いに異なることとなる。したがって、上述のように、センサを設けるセンサ保持体が媒体支持体に対し固定される構造の場合、上記のように被筆記媒体の被係合部にセンサ保持体の係合部を係合させたままの状態では、媒体支持体を閉じ状態とすることができない。この結果、媒体支持体を閉じ状態とするためには、操作者が上記係合部を係合部から取り外して係合を解除する必要がある。この場合、次の機会に操作者が被筆記媒体に対し再び筆記動作を行うとするときに、再度係合部を被筆記媒体の被係合部に係合させる操作労力負担が必要となり、非常に面倒であった。
【０００７】
本発明の目的は、見開き型の媒体支持体を備える電子筆記装置において、操作労力負担を増大させることなくセンサ保持体と被筆記媒体との係合を維持でき、センサの検出精度を確保できる構成を提供することにある。
【課題を解決するための手段】
【０００８】
上記目的を達成するために、本願発明は、筆記具を用いた操作者による被筆記媒体への筆記動作を記録する電子筆記装置であって、第１方向に見開き可能な媒体支持体と、前記媒体支持体の前記第１方向の略中央部に設けられ、前記被筆記媒体の当該複数の前記第１方向の端部に位置する複数の被支持孔にそれぞれ挿通されることで、前記被筆記媒体を前記第１方向にめくり動作可能に支持する複数の環状部材と、前記筆記具の筆先位置情報を取得する位置取得手段と、前記位置取得手段により取得された前記筆記具の筆先位置情報を用いて、前記被筆記媒体への記載に対応したストロークデータを生成するストロークデータ生成手段と、前記被筆記媒体に備えられた被検出情報を検出するセンサ、及び、前記被筆記媒体に設けられた被係合部に係合して当該被筆記媒体の位置決めを行う係合部、を備えたセンサ保持体と、前記センサ保持体を、前記第１方向に沿って進退可能となるように前記媒体支持体に対して支持する支持機構と、を有することを特徴とする。
【０００９】
本願発明の電子筆記装置は、位置検出手段を有する。被筆記媒体に対し操作者が筆記具を用いて所望の筆記動作を行うと、移動する筆記具の筆先位置が位置検出手段によって順次検出される。このようにして検出された筆先位置情報を連続的に取得することで、ストロークデータ生成手段が、上記被筆記媒体への操作者の記載に対応したストロークデータを生成する。これにより、上記操作者の記載内容を電子データ化して記録することができる。
【００１０】
なお、この電子データ化の際、例えば複数の被筆記媒体の何ページ目（あるいは何枚目）に対応するデータであるのか、あるいは、どのような種類の被筆記媒体に対するデータであるのか、等を明らかにするために、本願発明では、各被筆記媒体に被検出情報（例えばページ情報や用紙種類情報等）が設けられている。この被検出情報は、センサ保持体に設けられたセンサによって検出される。
【００１１】
そして、本願発明では、媒体支持体に対してセンサ保持体を支持する、支持機構が設けられる。この支持機構により、センサを保持する上記センサ保持体は、左右方向に沿って進退可能となる。これにより、媒体支持体が開き状態から閉じ状態になるときに、被筆記媒体が媒体支持体の左端部（又は右端部）側へ押し出されるのを支持機構によって許容することができるので、操作者は、前述のように係合部を被係合部から取り外して係合を解除する必要がない。この結果、操作者の労力負担を低減し、利便性を向上することができる。
【発明の効果】
【００１２】
本発明によれば、見開き型の媒体支持体を備える電子筆記装置において、操作労力負担を増大させることなくセンサ保持体と被筆記媒体との係合を維持でき、センサの検出精度を確保することができる。
【図面の簡単な説明】
【００１３】
【図１】本発明の一実施形態の電子筆記装置を備えた手書き入力システムの全体構成を表すシステム構成図である。
【図２】電子筆記装置の電気的構成を表す機能ブロック図である。
【図３】ストロークデータを説明する説明図である。
【図４】用紙押さえを紙媒体に接触させた用紙押さえ状態を表す斜視図である。
【図５】アームを回動させて用紙押さえを紙媒体から離間させた用紙離間状態を表す斜視図である。
【図６】用紙押さえ支持機構におけるシャフトの異形部とアームの貫通孔の異形孔部との相対位置関係を表す、図４中Ａ−Ａ面で見た概念的横断面図、及び、図５中Ｂ−Ｂ面で見た概念的横断面図である。
【図７】カバーを開き状態から閉じ状態へと折り畳んだときに生じるリング部材及び紙媒体の変位、及び、それへの追従挙動を説明するための説明図である。
【図８】閉じ状態へと折り畳まれたカバーの前面図、図８（ａ）中Ｃ方向からの矢視図、及び図８（ａ）中Ｄ方向からの矢視図である。
【発明を実施するための形態】
【００１４】
以下、本発明の一実施形態を図面を参照しつつ説明する。
【００１５】
＜システム概略＞
図１に、本実施形態の電子筆記装置２を備えた手書き入力システム１を示す。なお、以下の説明では、図１の紙面の上側、下側、右側、左側、手前側、奥行き側を、それぞれ、電子筆記装置２の上側、下側、右側、左側、手前側、奥行き側と定義して説明する（図１中の矢印の表示参照）。なお、このような定義における左右方向が各請求項記載の第１方向に相当し、上下方向が第２方向に相当し、上側が第２方向一方側に相当し、下側が第２方向他方側に相当する。
【００１６】
図１に示すように、手書き入力システム１は、例えば通常のボールペンやシャープペンシル等の汎用のペン３（筆記具）によって筆記される電子筆記装置２と、ディスプレイ４と、を備えている。
【００１７】
＜電子筆記装置＞
電子筆記装置２は、図示のような左右見開き形状となる、手帳タイプのカバー５２（媒体支持体）と、カバー５２の左右方向の略中央部に設けられた複数（この例では６個）のリング部材５４（環状部材）とが設けられている。リング部材５４には、例えば所定の用紙からなる紙媒体７０（被筆記媒体）が支持されている。すなわち、各紙媒体７０には、その左右方向の一端部（左端部又は右端部）に上下方向に６つの貫通孔（被支持孔）７０Ａが形成されている。そして、上記６つの略円環状（又は略矩形環状でもよい）のリング部材５４が、それぞれ対応する貫通孔７０Ａに挿通されることで、各紙媒体７０は上記左右方向にめくり動作可能に指示されている。図１に示すように、この例では、操作者により、紙媒体７０に対し、上記ペン３を用いて、所望の文字・図形等の書き込み文字（例えば「プレゼン資料・・・・」等という文字）Ｒ等が記載されている。
【００１８】
＜座標情報の検出＞
このとき、左側領域５２Ｌ及び右側領域５２Ｒを備えた上記見開き形状のカバー５２の上記右側領域５２Ｒには、上記リング部材５４に挿通された各紙媒体７０とほぼ同一の範囲となるように、座標検出部としてのタッチパネル２５が設けられている。タッチパネル２５は、ペン３の位置（筆先位置）を表す座標情報（＝筆先位置情報。例えばタッチパネル２５の左上部における所定位置を原点（０，０）とする。詳細は後述）を検出する。これにより、タッチパネル２５は、各請求項記載の位置取得手段として機能している。なお、この例では、タッチパネル２５の構成及び検出手法は公知のものを用いることができ、例えば、ＩＴＯ（インジウム・チン・オキサイド）による透明導電膜を用いた感圧方式とすることができる。
【００１９】
すなわち、操作者が、通常の鉛筆やボールペンで文字を書く要領でペン３を用いて紙媒体７０に筆記を行うと、ペン３の先端による押圧が紙媒体７０を介してタッチパネル２５に伝えられる。この押圧力によって、タッチパネル２５がペン３の位置を離散的な座標情報として検出する。
【００２０】
上記タッチパネル２５の検出結果に基づき、ＣＰＵ２０１（後述の図２参照）によって、操作者が上記筆記動作を行ったときのペン３の移動に対応する、複数の筆先位置情報（すなわち、上記座標情報）が取得される。なお、前述したように、本実施形態では、タッチパネル２５の左上部の所定位置の座標（Ｘ，Ｙ）を原点（０，０）とし、右方向をＸ軸、下方向をＹ軸とする座標系を用いる。すなわち、Ｘ座標の値がタッチパネル２５における左右方向の位置を表し、Ｙ座標の値が上下方向の位置を表す。
【００２１】
そして、上記取得された複数の座標情報に基づき、上記ＣＰＵ２０１によって、上記紙媒体７０に筆記された文字等に対応したストロークデータ（詳細は後述）が生成される。このとき、電子筆記装置２は、この例では無線（又は有線でもよい）通信により、ネットワークＮＷを介し、外部記憶装置としてのサーバＳＶに接続されている。そして、上記ＣＰＵ２０１で生成された上記ストロークデータは、上記サーバＳＶに送信され、保存される。
【００２２】
なお、ディスプレイ４は電子筆記装置２に接続されており、操作者が電子筆記装置２に載置した紙媒体７０の外観に相当する画像データや、操作者による紙媒体７０への記載内容に相当する画像データ（ストロークデータの集合体）を表示することができる。
【００２３】
＜電子筆記装置の電気的構成＞
次に、図２を参照して、電子筆記装置２の電気的構成について説明する。この例では、本体電源として、図示しない内蔵電源（リチウムイオン電源など）を備えている。図２に示すように、電子筆記装置２は、電子筆記装置２全体の制御を行うＣＰＵ２０１と、ＲＯＭ２０２と、種々のデータが一時的に記憶されるＲＡＭ２０３と、フラッシュメモリ２０４と、駆動回路２０９，２１０と、前述のネットワークＮＷを介したサーバＳＶとの情報送受信の制御を行う通信制御部２０７と、センサ３００（詳細は後述）と、を備えている。
【００２４】
ＲＯＭ２０２、ＲＡＭ２０３、フラッシュメモリ２０４、駆動回路２０９，２１０、及びセンサ３００は、ＣＰＵ２０１に電気的に接続されている。ＲＯＭ２０２は、プログラム記憶領域２０２１と、画像データ記憶領域２０２３とを備えている。プログラム記憶領域２０２１には、ＣＰＵ２０１が電子筆記装置２を制御するために実行する各種プログラムが記憶されている。画像データ記憶領域２０２３には、例えば紙媒体７０のフォーマット情報に対応した画像のデータが記憶されている。フラッシュメモリ２０４は、座標情報記憶領域２０４１を備えている。
【００２５】
駆動回路２０９は、タッチパネル２５を駆動するための電子回路である。駆動回路２１０は、ディスプレイ４に画像を表示させるための電子回路である。
【００２６】
＜ストロークデータの生成＞
次に、ストロークデータについて説明する。ストロークデータは、上記タッチパネル２５の検出結果に基づきＣＰＵ２０１で取得された複数の座標情報からなる、ペン位置データ列である。図３（ａ）及び図３（ｂ）には、２つのストロークデータ「ａ」「ｂ」の例を示している。
【００２７】
図３（ａ）及び図３（ｂ）において、第１ストロークデータ「ａ」は、電子ペン３による文字「ａ」の書き始めから書き終わりまでの一筆書き部分の軌跡を表すデータであり、時系列に沿って、ペン位置番号Ｔ１，Ｔ２，・・，Ｔ１１それぞれに対応した筆先位置情報として、１１個の座標情報（Ｘ１，Ｙ１），（Ｘ２，Ｙ２），・・，（Ｘ１１，Ｙ１１）を含む。また、第２ストロークデータ「ｂ」は、電子ペン３による文字「ｂ」の書き始めから書き終わりまでの一筆書き部分の軌跡を表すデータであり、時系列に沿って、ペン位置番号Ｔ１２，Ｔ１３，・・，Ｔ２１それぞれに対応した筆先位置情報として、１０個の座標情報（Ｘ１２，Ｙ１２），（Ｘ１３，Ｙ１３），・・（Ｘ２１，Ｙ２１）を含む。このようにして、ＣＰＵ２０１は、タッチパネル２５の検出結果に応じた複数の座標情報を用いて、操作者がペン３を用いて紙媒体７０へ記載した内容に対応した、座標データ列としてのストロークデータを生成する。なお、ＣＰＵ２０１のこのストロークデータを生成する機能が、各請求項記載のストロークデータ生成手段に相当している。また、このようにしてそれぞれ生成された複数のストロークデータの集合体が、ディスプレイ４の画像データを形成している。
【００２８】
＜本実施形態の特徴＞
以上の基本構成及び動作において、本実施形態の特徴は、センサ３００を保持する用紙押さえ６８（図１参照）の、カバー５２への支持構造にある。以下、その内容を順を追って説明する。
【００２９】
＜センサによるページ検出＞
上記カバー５２の右側領域５２Ｒの上端部近傍には、用紙押さえ支持機構６０（支持機構）が設けられている。図４及び図５に示すように、用紙押さえ支持機構６０は、用紙押さえ６８（センサ保持体）を、左右方向に沿って進退可能にとなるようにカバー５２の右側領域５２Ｒに対して支持する。
【００３０】
用紙押さえ６８は、紙媒体７０に接触可能な下面６８Ａに、センサ３００と、一対のボス７２，７２（係合部）と、を備えている。
【００３１】
ボス７２，７２は、紙媒体７０の上端部近傍に左右方向に離間して設けられた貫通孔７４，７４（被係合部）に係合して、センサ３００による被検出部（後述）の検出精度を確保するための紙媒体７０の位置決めを行う。
【００３２】
センサ３００は、詳細な図示は省略するが、例えば複数のセンサ素子からなるフォトセンサである。このとき、紙媒体７０のうち、上記センサ３００に対応する箇所（この例では前述したように紙媒体７０の上端部近傍）に、例えば適宜のマーク等からなる所定の被検出部が設けられている。用紙押さえ６８の上記ボス７２，７２が紙媒体７０の上記貫通孔７４，７４に係合した正対状態（図４参照）において、センサ３００の上記各センサ素子が上記被検出部に対する検出を行う。これにより、センサ３００は、紙媒体７０の上記フォーマット情報やページ数、さらには紙媒体７０自体の有無（用紙有り、用紙無し）、等の情報（被検出情報）を検出することができる。
【００３３】
＜用紙押さえ支持機構の詳細＞
用紙押さえ支持機構６０は、カバー５２の右側領域５２Ｒに左右方向に延設されたシャフト６２（軸部材）と、このシャフト６２の両端部を上記右側領域５２Ｒに対して支持する一対のブラケット６３ａ，６３ｂと、アーム６４（接続部材）と、スプリング６６（付勢部材）と、を備えている。
【００３４】
アーム６４は、基端側（図４に示す用紙押さえ状態では上側）に、上記シャフト６２に挿通される貫通孔６４ａ（図１参照）を備えると共に、先端側（図４に示す用紙押さえ状態では下側）に、上記センサ保持体６８が接続されている。
【００３５】
スプリング６６は、シャフト６２の外周側に、当該シャフト６２に挿通されるようにしつつ設けられており、アーム６４（言い換えれば用紙押さえ６８）に対してブラケット６３ａ方向への（言い換えればカバー５２の中央部側への）付勢力を作用させる。このとき、シャフト６２の左端部には、横断面形状が非円形又は多角形（この例では略φ字形状）となる異形部６２Ａが設けられている。
【００３６】
＜アームの回転方向位置ロック＞
この異形部６２Ａの形状と、上記アーム６４の貫通孔６４ａの形状との相互関係による、上記アーム６４の回転方向ロックについて、図６（ａ）、図６（ｂ）、上記図４、及び上記図５により説明する。前述したように、アーム６４は、貫通孔６４ａにシャフト６２が挿通され回転可能に構成されている。これによって、紙押さえ６８は、図４に示すように下降して紙媒体７０に接触して押さえた上記用紙押さえ状態と、図５に示すように上昇して紙媒体７０から離れた用紙離間状態と、のいずれかに切り替わり可能である。
【００３７】
このとき、ブラケット６３ａ、６３ｂを介しカバー５２の右側領域５２Ｒへの固定物となる上記シャフト６２の上記異形部６２Ａは、図６（ａ）及び図６（ｂ）に一例を示すように、例えば、略「φ」字形状を９０°回転させて横向きにした（言い換えれば水平方向への突出部を備えた）非円形形状の横断面形状を備えている。これに対して、上記アーム６４の貫通孔６４ａにも、上記異形部６２Ａに対応した非円形形状の横断面形状を備えた、異形孔部６４ａＡが備えられている。そして、この異形孔部６４ａＡは、図６（ａ）及び図４に示すアーム６４の上記用紙押さえ状態では、図６（ａ）に示すように、略「φ」字形状を縦向きとした（言い換えれば上下方向への突出部を備えた）状態となる。したがって、異形部６２Ａと異形孔部６４ａＡとは、後述のように係合することはなく、この状態では、シャフト６２の円形断面部分が貫通孔６４内に挿通されているだけの状態である。この結果、アーム６４はシャフト６２に対して回転自在であり、かつ、左右方向に沿って移動自在である。
【００３８】
ここで、前述のように上記の２つの状態のいずれにおいてもスプリング６６のブラケット６３ａ側への付勢力が作用している。図４及び図６（ａ）に示す上記用紙押さえ状態では、前述のように用紙押さえ６８の下面６８Ａのボス７２，７２が紙媒体７０の貫通孔７４，７４にそれぞれ係合している。この結果、上記のようにシャフト６２に対して左右方向に移動自在な状態でかつスプリング６６に付勢されながらも、用紙押さえ６８及びアーム６４の左右方向位置は、上記係合により保持されている。
【００３９】
一方、例えば紙媒体７０を交換する場合等には、操作者が、上記ボス７２と貫通孔７４との係合を外し、アーム６４を回転させて用紙押さえ６８を紙媒体７０から上昇させる（図６（ａ）の白抜き矢印参照）。すると、上記スプリング６６のブラケット６３ａ側の付勢力によって、アーム６４及び用紙押さえ６８は、上記用紙押さえ状態よりもブラケット６３ａ側へと移動する。そして、上記の操作者によるアーム６４の回転により、アーム６４が上記用紙押さえ状態から略９０°回転すると（図６（ｂ）の白抜き矢印参照）、図５及び図６（ｂ）に示すように、アーム６４の貫通孔６４ａの異形孔部６４ａＡは、上記略「φ」字形状を横向きとした（言い換えれば水平方向への突出部を備えた）状態となり（＝上記用紙離脱状態）、シャフト６２の異形部６２Ａの上記水平方向への突出形状と、対応した位置関係となる。この結果、異形部６２Ａを異形孔部６４ａＡ内へ迎え入れつつ、上記スプリング６６のブラケット６３ａ側への付勢力によってアーム６４は左側へと移動し、アーム６４の左端部がブラケット６３ａに略接触した状態にて保持される。このとき、上記異形部６２Ａと異形孔部６４ａＡとの形状の嵌り合い（係合）によって、アーム６４の回転方向は略同一位置（つまり図５に示すように跳ね上げられた位置）に保持されロックされる。なお、異形部６２Ａ及び異形孔部６４ａＡが、各請求項記載のロック機構を構成している。これにより、操作者は、上述のように、ボス７２と貫通孔７４との係合を外すだけで、簡単に用紙押さえ６８を紙媒体７０から大きく離脱させることができる。
【００４０】
＜カバーの折り畳み時の挙動＞
次に、本実施形態の最大の特徴である、上記見開き形状のカバー６２を折り畳むときの上記用紙押さえ支持機構６０の挙動について、図７（ａ）、図７（ｂ）、及び図８を用いて説明する。
【００４１】
前述したように、本実施形態の電子筆記装置２では、リング部材５４を介して紙媒体７０を支持する構造である。この構造では、その特性上、図７（ａ）に示したようにカバー５２の左側領域５２Ｌ及び右側領域５２Ｒを見開き状態に開いた状態から、図７（ｂ）及び図８に示すように左側領域５２Ｌを右側へ折り畳んで右側領域５２Ｒの上に重ね合わせてカバー５２を閉じた状態とすると、リング部材５４の向きが９０°回転する。この結果、図７（ａ）及び図７（ｂ）を対比させるとわかるように、リング部材５４の右端部の位置は、カバー５２の右側領域５２Ｒに対して、右向きに相対的な変位ｔ１が生じる。この結果、リング部材５４に支持される形で右側領域５２Ｒに存在している紙媒体７０についても、上記リング部材５４の変位ｔ１に対応して右側へ押し出される形となり、右向きへの相対的な変位ｔ２（例えば上記ｔ１とほぼ等しい値となる）が生じる。
【００４２】
すなわち、右側領域５２Ｒにおいて、カバー５２を開いた状態（図７（ａ）参照）における紙媒体７０と右側領域５２Ｒとの相対位置関係と、カバー５２を閉じた状態（図７（ｂ）及び図８参照）における紙媒体７０と右側領域５２Ｒとの相対位置関係とが、互いに異なることとなる。この結果、例えば仮にセンサ３００を設ける用紙押さえ６８がカバー５２に対し固定される構造であったとすると、図示のように紙媒体７０の貫通孔７４に用紙押さえ６８のボス７２を係合させたままの状態では、カバー５２を閉じ状態とすることができない。この場合、カバー５２を閉じ状態とするためには、操作者が上記ボス７２を貫通孔７４から取り外して係合を解除する必要がある。この場合、次の機会に操作者が紙媒体７０に対し再び筆記動作を行うとするときに、再度ボス７２を紙媒体７０の貫通孔７４に係合させる操作労力負担が必要となり、非常に面倒となる。
【００４３】
そこで、本実施形態では、上記用紙支持機構６０を設けることで、アーム６４及び用紙押さえ６８を左右方向に移動（進退）自在に支持する。これにより、上記のようにカバー５２が開き状態（図７（ａ））から閉じ状態（図７（ｂ））になるときに、紙媒体７０がカバー５２の右側領域側へ押し出されるのを用紙支持機構６０によって許容することができるので、操作者は、前述のようにボス７２を貫通孔７４から取り外して用紙押さえ６８と紙媒体７０との係合を解除する必要がない。
【００４４】
以上説明したように、本実施形態においては、カバー５２が開き状態から閉じ状態になるときに、アーム６４及び用紙押さえ６８が左右方向に移動自在となっていることから、紙媒体７０がカバー５２の右側領域側へ押し出されるのを許容することができる。これにより、操作者は、ボス７２と貫通孔７４との係合を支持したまま（言い換えれば用紙押さえ６８と紙媒体７０との係合を維持したまま）でカバー５２の折り畳み、及び、その後の見開き状態への移行、を行うことができる。この結果、前述のようにボス７２を貫通孔７４から取り外す必要がある場合に比べ、操作者の労力負担を低減し、利便性を向上することができる。
【００４５】
なお、上記の例では、用紙支持機構６０がカバー５２の右側領域５２Ｒに設けられ、右側領域５２Ｒにおいて貫通孔７４がボス７２に挿通されることで用紙押さえ６８と紙媒体７０が係合している状態で、左側領域５２Ｌが右側領域５２Ｒの上に重ね合わされる場合を例にとって説明したが、これに限られない。すなわち、用紙支持機構６０がカバー５２の左側領域５２Ｌに設けられ、左側領域５２Ｌにおいて貫通孔７４がボス７２に挿通されることで用紙押さえ６８と紙媒体７０が係合している状態で、右側領域５２Ｒが左側領域５２Ｌの上に重ね合わされる場合についても同様の構成を適用することができ、同様の効果を得る。
【００４６】
また、本実施形態では特に、用紙支持機構６０において、アーム６４を介して用紙押さえ６８をカバー６２の中央部側（上記の例では左側）へと付勢するスプリング６６を設けている。これにより、カバー５２が開き状態にあるときに、スプリング６６が左側への付勢力をアーム６４を介して用紙押さえ６８に作用させ、（ボス７２と貫通孔７４との係合構造との協働により）用紙押さえ６８を上記中央部側の所定の位置へと位置決めすることができる。また、カバー６２が上述のように開き状態（図７（ａ））から閉じ状態（図７（ｂ））になる際に、前述のように紙媒体７０がカバー５２の一端部側（上記の例では右端部側）へ押し出されるときの、当該押し出しによる用紙押さえ６８の相対変位を、アーム６４を介してスプリング６６の弾性によって許容することができる。
【００４７】
また、本実施形態では特に、アーム６４が貫通孔６４ａを介してシャフト６２に対し回転可能に構成されている。これにより、前述したように、操作者が上述の用紙押さえ６８のボス７２，７２と紙媒体７０の貫通孔７４，７４との係合を解除する際には、単にアーム６４を介して用紙押さえ６８を上下に回動操作すれば足りる。この結果、操作者の利便性を向上することができる。
【００４８】
また、本実施形態では特に、図５を用いて前述したように、アーム６４は、図４の状態から略９０°回転した略直立状態において、その回転方向位置でロックされる。これにより、例えば紙媒体７０の交換・補充等のために、アーム６４及び用紙押さえ６８を回動操作させ、上記回転方向位置とするだけでその状態を保持することができる。これにより、上記紙媒体７０の交換・補充等のときの操作者の利便性を向上することができる。
【００４９】
また、以上においては、電子筆記装置２に公知の感圧方式によるタッチパネル２５を設け、ペン３の先端が紙媒体７０を押圧する力を検出することにより、ペン３の先端の動きを検出したが、これに限られない。すなわち、磁界を発生するためのコイルを備えた電磁誘導式のペン３からの磁界を、座標検出部（磁界検出用のコイルを備える）で検出することにより操作者の筆記動作によるペン３の移動を検出してもよい。あるいは、操作者の筆記動作時における電子ペン３の先端の動きを超音波や赤外線やカメラ撮像結果を用いて検知する方式や、さらには静電容量方式等、その他の適宜の方式を用いてもよい。
【００５０】
なお、以上において、図１、図２に示す矢印は信号の流れの一例を示すものであり、信号の流れ方向を限定するものではない。
【００５１】
また、以上既に述べた以外にも、上記実施形態や各変形例による手法を適宜組み合わせて利用しても良い。
【００５２】
その他、一々例示はしないが、本発明は、その趣旨を逸脱しない範囲内において、種々の変更が加えられて実施されるものである。
【符号の説明】
【００５３】
２                電子筆記装置
３                ペン（筆記具）
５２              カバー（媒体支持体）
５４              リング部材（環状部材）
６０              用紙押さえ支持機構（支持機構）
６８              用紙押さえ（センサ保持体）
７０              紙媒体（被筆記媒体）
７０Ａ            貫通孔（被支持孔）
７２              ボス（係合部）
７４              貫通孔（被係合部）
３００            センサ
【図１】
2013200847.tif 000003
【図２】
2013200847.tif 000004
【図３】
2013200847.tif 000005
【図４】
2013200847.tif 000006
【図５】
2013200847.tif 000007
【図６】
2013200847.tif 000008
【図７】
2013200847.tif 000009
【図８】
2013200847.tif 000010